(57)【要約】      （修正有）【課題】精米、玄米等を品種や産地ごとに任意の袋体に詰め、しかも予め注文フォームを袋体の適所に表示した生米等入り小袋および生米等入り小袋セットを提供する。【解決手段】１）各種の商品を任意の袋体に詰め、その注文フォームを袋体の適所に表示した商品包装袋。２）注文フォームが、バーコード、携帯端末用ＱＲコード等の読み取りコード、電話もしくはＦＡＸ番号、インターネットのホームページアドレスから選ばれてなる注文用表記を有する商品包装袋。３）注文フォームが、バーコード、携帯端末用ＱＲコード等の読み取りコード、電話もしくはＦＡＸ番号、インターネットのホームページアドレスから選ばれてなる注文用表記を印刷したシールからなる商品包装袋。【選択図】図１
0003136573.tif 000002
【実用新案登録請求の範囲】
【請求項１】
各種の商品を任意の袋体に詰め、その注文フォームを袋体の適所に表示したことを特徴とする商品包装袋。
【請求項２】
注文フォームが、バーコード、携帯端末用ＱＲコード等の読み取りコード、電話もしくはＦＡＸ番号、インターネットのホームページアドレスから選ばれてなる注文用表記を有することを特徴とする請求項１に記載の商品包装袋。
【請求項３】
注文フォームが、バーコード、携帯端末用ＱＲコード等の読み取りコード、電話もしくはＦＡＸ番号、インターネットのホームページアドレスから選ばれてなる注文用表記を印刷したシールからなることを特徴とする請求項１または２に記載の商品包装袋。
【考案の詳細な説明】
【技術分野】
【０００１】
この考案は、下記のような特徴を備えた商品包装袋を提供しようとするものである。
（１）バーコード、携帯端末用ＱＲコード等の読み取りコード、電話もしくはＦＡＸ番号、インターネットのホームページアドレスから選ばれてなる注文用表記を有するので、消費者が簡単かつ確実に気に入った商品を注文することができる。
（２）小単位で購入可能なため、さまざまな品質や産地の商品から選択ができ、また迅速かつ安価に商品を入手しやすい。
（３）贈答用としても用いやすい。
【背景技術】
【０００２】
例えば、毎年いくつかの改良された新種の米が発表されるが、消費者にとってコシヒカリやササニシキなどの名の通った定番商品以外の情報量の少ない米を購入することには抵抗があった。そして現状において、消費者の選択方法としては、上記のようなブランド名と袋のデザインイメージ、生産者側の米に対する特徴等のコメント等で選択する以外になかった。
また販売する側としても、実績のない定番商品以外の製品を在庫として店頭に並べることはリスクが大きいといわざるを得ない。ちなみに精米した製品の賞味期限は３ケ月である。
【０００３】
従来、精米等は、合成樹脂製等の袋体に２ｋｇないし１０ｋｇ位の単位で詰められて生米入り米袋（以下米袋という）として売られているのが大半であった。これを買って炊飯する場合、使用する精米の量は計量器付き米容器や炊飯用計量カップ（以下計量カップという）で量って炊飯釜に入れていた。
しかしながら、開封した後は精米が外気に触れているため、長期間置いておくと乾燥して食味が落ちる心配や、夏場などは虫がわかないよう対策を講じる必要もあった。
【０００４】
そこで、実開平６−６５２６５号公報（特許文献１参照）には、炊飯用計量カップ１カップ分量の精米、洗浄済み精米または玄米等の生米を任意の袋体に詰め閉じてなる生米入り米袋が提案されている。
同時に、任意の銘柄米別の銘柄米小米袋を２種類以上任意数別の容器に詰め合わせることについても、上述した実開平６−６５２６５号公報（特許文献１参照）に開示されている。
【特許文献１】実開平６−６５２６５号公報
【特許文献２】実開平６−６５２６５号公報
【考案の開示】
【考案が解決しようとする課題】
【０００５】
しかしながら、せっかく銘柄米を小袋に詰めても、はたしてその銘柄米がどのような特徴や特性を備えているのかはほとんどの消費者にとっては不明であり、どのような食し方に適しているのかが分からないため、せいぜい試食する程度にしか利用することができない。
そこで本考案者は先に、実用新案登録第３１２５３６２号公報（特許文献２参照）において、精米、玄米等を品種や産地ごとに任意の袋体に詰め、しかもその特徴および／または特性のデータを袋体の適所にグラフ表示してなる生米等入り小袋および生米等入り小袋セットを提案した。
【０００６】
ところが、せっかく消費者が１合パックを購入し、あるいは試食して気に入った米を大量（ｋｇ単位）注文しようとしても、いちいち販売店等に出向いたり、問い合わせる必要があって注文が非常に面倒であり、また生産者もその後の注文につなげにくいという問題があった。
そこでこの考案は、精米、玄米等を品種や産地ごとに任意の袋体に詰め、しかも予め注文フォームを袋体の適所に表示した生米等入り小袋および生米等入り小袋セットを提供しようとするものである。
そうすることによって、その銘柄米をどのようにすれば注文できるかが一目瞭然であり、簡単に消費者は注文を出すことができ、また生産者もその後の注文につなげることができるようになるのである。
また、上記のような販売の方法は、前記銘柄米等の販売のみならず、各種商品の販売にも応用できることに想到し、本考案の商品包装袋を提供しようとするものである。
【課題を解決するための手段】
【０００７】
上記目的を達成するためこの考案の商品包装袋は、各種の商品を任意の袋体に詰め、その注文フォームを袋体の適所に表示したことを特徴とするものである。
【０００８】
この考案の商品包装袋は、前記注文フォームが、バーコード、携帯端末用ＱＲコード等の読み取りコード、電話もしくはＦＡＸ番号、インターネットのホームページアドレスから選ばれてなる注文用表記を有することをも特徴とするものである。
【０００９】
この考案の商品包装袋は、前記注文フォームが、バーコード、携帯端末用ＱＲコード等の読み取りコード、電話もしくはＦＡＸ番号、インターネットのホームページアドレスから選ばれてなる注文用表記を印刷したシールからなることをも特徴とするものである。
【考案の効果】
【００１０】
この考案の商品包装袋は以上のように構成したので、下記のような効果を奏するものとなった。
（１）バーコード、携帯端末用ＱＲコード等の読み取りコード、電話もしくはＦＡＸ番号、インターネットのホームページアドレスから選ばれてなる注文用表記を有するので、消費者が簡単かつ確実に気に入った商品を注文することができる。
（２）小単位で購入可能なため、さまざまな品質や産地の商品から選択ができ、また迅速かつ安価に商品を入手しやすい。
（３）贈答用としても用いやすい。
【００１１】
また、この考案の商品包装袋を特に銘柄米等の販売に利用することにより、次に述べるような効果が得られる。
（Ａ）この考案は前述のように生米等を利用する時、一回に利用する量を消費者が購入できるようにしたものである。
（Ｂ）この考案は前述のように生米等の保管時、従来品より長期間品質を保つことができるようにしたものである。
（Ｃ）この考案は前述のように生米等を、特徴や特性に応じて好みにより選択しやすくしたものである。
（Ｄ）この考案は前述のように生米等の販売において、陳列棚に複数、複数品種を陳列しやすくしたものである。
（Ｅ）１合パックを購入し、あるいは試食して気に入った米を大量（ｋｇ単位）注文したいときに、この考案においてはバーコード、携帯端末用ＱＲコード等の読み取りコード、電話もしくはＦＡＸ番号、インターネットのホームページアドレスから選ばれてなる注文用表記を有するので、消費者が簡単かつ確実に気に入った米を注文することができる。
【考案を実施するための最良の形態】
【００１２】
以下この考案の商品包装袋の実施の形態を図面に基いて詳細に説明する。
以下図面はこの考案の商品包装袋を生米等入り小袋および生米等入り小袋セットに適用した場合についてせつめいするためのもので、図１（ａ），（ｂ），（ｃ），（ｄ）は生米等入り小袋の実施例における、生米の平均的な数値とその詰められた製品の数値を比較したグラフ、図２は陳列に適するように縦長とした小袋の例を示す説明図、図３（ａ），（ｂ），（ｃ）は陳列に適するように外形を縦長として上端にフック穴を形成した小袋の例を示す説明図、図４は複数の収納部を設けた袋体の例を示す斜視図、図５は例えば品種や産地ごとの複数の袋体を詰め合わせた生米等入り小袋セットの１例を示す概略図、図６はこの考案の生米等入り小袋を用いた販売方法を示す概略図である。
【００１３】
図において商品包装袋を構成する生米等入り小袋は、例えば裏をビニール樹脂でコーティングした紙製、ビニール系合成樹脂製等からなる図２のような縦長の袋体１を用いている。もちろん、長期保存を可能とするため、真空パック、不活性ガスパック、安定剤などを用いた袋体１であってもよい。
このような袋体１に、生米類〔精米、玄米、または精米、玄米をベースとし麦、穀物、低カロリー素材（コンニャク類）、海草類、茸頬を適量比率でブレンドしたもの〕２を１計量カップ分（１合：約１５０ｇ）を詰め、袋口３を融着によって閉じて小袋としたものである。２０は袋体１の適所に表記した注文フォームである。
この注文フォーム２０は、図１および図２に示すようにバーコード２２、携帯端末用ＱＲコード２３等の読み取りコード、電話もしくはＦＡＸ番号２４、インターネットのホームページアドレス２５等から選ばれた注文先を示す注文用表記２１を含むものである。
もちろん、該注文用表記２１として、図２に示すように、直接ＦＡＸ等で注文が出せるように注文用紙としての表記部分を備えていてもよい。この注文用紙用表記部２６には、住所、氏名、電話もしくはＦＡＸ番号、銘柄、産地、注文単位、注文数量、送り先等を記入することができるようにすることができる。
さらに、袋体１の適所に表記した注文フォーム２０として、別途バーコード２２、携帯端末用ＱＲコード２３等の読み取りコード、電話もしくはＦＡＸ番号２４、インターネットのホームページアドレス２５等から選ばれた注文先を示す注文用表記２１をシール印刷し、このシールを袋体１に貼付するようにすることもできる。
【００１４】
上記袋体１には、その適所に銘柄や産地、特性データ、数量等が表記されており、消費者は銘柄や産地、特性データ、数量等をもとに生米類２を適宜選択して購入することができる。
特性データ５としては、例えば硬さ、粘り、甘味、色合い等が挙げられる。図１（ａ）は、縦軸に硬さと色合いを、横軸に粘りと甘味を配置した円グラフである。この円グラフでは、標準米と当米とを実線および破線で表わしている。
また図１（ｂ），（ｃ），（ｄ）はそれぞれ、縦軸に硬さと粘り、甘味を配置して基準（標準米）と比較するグラフである。もちろん、棒グラフや線グラフ等で表わすことができるのはいうまでもない。
また上記袋体１としては図３（ａ），（ｂ），（ｃ）のように、図２と同様にその適所に生米類２の銘柄や産地、特性データ、数量等が表記され、かつその上端の袋口３部分には陳列に適するようにフック穴４を形成したものを試用することもでき、消費者は店舗において吊下げて陳列した状態の小袋の中から、銘柄や産地、特性データ、数量等をもとに適宜生米類２を選択して購入することができる。
【００１５】
この考案の商品包装袋を構成する生米等入り小袋は、図４のように前記袋体１に複数の収納部６を形成し、複数の精米、玄米、または精米、玄米をベースとし麦、穀物、低カロリー素材（コンニャク類）、海草類、茸頬を適量比率でブレンドしたものを、別個に収納するようにすることもできる。
例えば、精米に玄米や精麦を組み合わせて袋詰めしたり、精米等と調味料やかやく類を組み合わせて袋詰めすることができる。
【００１６】
図５においてこの考案の生米等入り小袋セットは、所定単位分量の精米、玄米、または精米、玄米をベースとし麦、穀物、低カロリー素材（コンニャク類）、海草類、茸頬を適量比率でブレンドしたものを品種や産地ごとに任意の袋体１に詰め、その特徴および／または特性のデータを袋体１の適所にグラフ表示するばかりでなく、複数の袋体１を詰め合わせたことを特徴としている。
図において１１は、生米等入り小袋を複数包装するための例えばダンボール製の箱で、例えば品種や産地ごとの複数の袋体を箱１１内に詰め合わせた状態を示している。したがって、品種（銘柄）や産地等をもとに適宜選択して包装し、あるいは選択して購入することにより、消費者は利用に際して品種（銘柄）や産地等をもとに適宜選択して消費することができるのである。
【００１７】
この考案の商品包装袋を構成する生米等入り小袋の内容量の生米１計量カップ分は、電気炊飯器等の炊飯釜に印してある１目盛り分に相応するものとすることができ、計量器付き米容器や計量カップ等を使用することなく、炊飯釜の望む目盛り分と同数の小袋を開封し、電気炊飯器等の釜に入れるだけの手軽さで計量が済むことになる。
小袋の内容量が通常の最小消費単位でかつ袋体に詰めて密閉してあるため、消費つまり食べる時以外は生米が外気に接することが無く、長期間放置しておいても生米に夏場などでも虫がわかず、また乾燥などで味が落ちることがない等の利点が生まれる。
主婦にとっては虫対策を講ずることもなく、また余り生米を消費しない独身者や老人等の層にとっても実用価値が大きいものであり、味重視の時代に合った考案ということができる。
また従来方法では入れた生米分量を勘違いすることがあるが、この考案は上述の通り最小消費単位のため、開封して残った空小袋を数えればこのような勘違いも無くなり、これから拡大する老人社会には打って付けの商品と思われる。
【００１８】
従来の米袋の態様では通常２ｋｇ以上で売られていることや、銘柄米は種々あっても地域的に片寄って出回っているため、試食してみたいと思っていても食する機会がほとんどなかった。
しかし種々銘柄米を小袋にし、何種類かの銘柄米を同一容器に詰めて販売することにより、販売のリスクも減って分散させることができ、様々な銘柄米が従来より地域的片寄りなく出回ることが期待できる。また、消費者においては試食にも好適であり、その機会も増えることが期待される。
【００１９】
また小袋のため小容量の容器設定が可能となり、袋や容器等を凝ったものにして種々銘柄米を詰め合わせれば贈答用にすることも可能となり、従来の米袋のイメージから抜け出した新鮮な商品群の誕生が期待できる。
さらに、生米の特徴および／または特性のデータを袋体１の適所にグラフ表示してあるので、食する調理に合わせた生米を選択して炊飯することができ、より美味しく食することができるようになった。
すなわち、従来における購入時においての選択方法は、米袋に記入してある品種、産地、精米や年度以外にはなかった。つまり品種や産地のイメージで選択するが同品種、同産地であっても食味は一様ではなく、客観的な特性（炊飯したときの硬さ、粘り、甘味、色合い等）表示がなかったのである。そのため好みの食味でないものや目的外のものを購入してしまう場合があったが、この考案においてはそのようなミスマッチを解消することができるのである。
【００２０】
図６にこの考案の商品包装袋を構成する生米等入り小袋および生米等入り小袋セットを用いた販売方法を示す。
例えば、１合パックを購入し、あるいは試食して気に入った消費者は、米を大量（ｋｇ単位）注文したいときは、バーコード、携帯端末用ＱＲコード等の読み取りコード、電話もしくはＦＡＸ番号、インターネットのホームページアドレスから選ばれてなる注文用表記を利用して、簡単かつ確実に気に入った米を注文することができる。
消費者はまず、販売店やデパート、スーパーマーケット、コンビニエンスストア等の店頭において生米等入り小袋および生米等入り小袋セットを購入する。
消費者が生米等入り小袋（１合パック等）を購入し、あるいは試食して気に入った場合、注文用フォームに表記されたバーコード、携帯端末用ＱＲコード等の読み取りコード、電話もしくはＦＡＸ番号、インターネットのホームページアドレスを手がかりに、精米製品化工場（販売店やデパート、スーパーマーケット、コンビニエンスストア等を含む）に注文する。
【００２１】
精米製品化工場は、販売店やデパート、スーパーマーケット、コンビニエンスストア等による販売確保（販売店等が営業したことになる）に報いるため、単独あるいは販売店等と協力して情報取りまとめ機関を設置することが望ましい。
この情報取りまとめ機関は、精米製品化工場や販売店等の販売情報を吸い上げて、銘柄や産地、特性データ、販売・生産数量、売れ筋商品や生産者データ等を精米製品化工場や販売店等にフィードバックする。その際、販売店等が判別できるように注文用フォームに販売店等を示すバーコードを表記しておくのである。
その上で、精米製品化工場から販売店等に販売手数料等を支払うシステムとすることができる。もちろん、販売手数料等を支払うシステムに情報取りまとめ機関を組み込むことができる。
また、注文用表記２１を含む注文フォーム２０をシール印刷したシールを情報取りまとめ機関が発行し、これを販売店等に提供するシステムとしてもよい。
そのメリットは次の通りである。
１）販売店等の側としては、さまざまな品種の在庫負担が少なく、また鮮度のよい製品を消費者に提供することができる。
２）精米工場等の製造メーカー側、米の生産者側としてはさまざまな製品を消費者に提供できる場を確保することができる。
３）消費者としては、もっとも少ない消費量を１単位として購入することができ、またそれを試食してから必要量を購入することができる。
【産業上の利用可能性】
【００２２】
この考案は上記の様々な利点や用途拡大の可能性を考えれば、米市場の活性化や生米の需要拡大、開拓に好適な商品である。
もちろん、この考案の商品包装袋の技術的思想は、生米等入り小袋および生米等入り小袋セットに限定されるものではなく、生米等入り小袋および生米等入り小袋セット以外の、各種商品の販売に際しても利用することもできる。
【図面の簡単な説明】
【００２３】
【図１】（ａ），（ｂ），（ｃ），（ｄ）は商品包装袋を適用した生米等入り小袋における、生米の平均的な数値とその詰められた製品の数値を比較したグラフである。
【図２】陳列に適するように縦長とした小袋の例を示す説明図である。
【図３】（ａ），（ｂ），（ｃ）は陳列に適するように上端にフック穴を形成した小袋の例を示す説明図である。
【図４】複数の収納部を設けた袋体の例を示す斜視図である。
【図５】例えば品種や産地ごとの複数の袋体を詰め合わせた商品包装袋セットの１例を示す概略図である。
【図６】この考案の商品包装袋を適用した生米等入り小袋および生米等入り小袋セットを用いた販売方法を示す概略図である。
【符号の説明】
【００２４】
１  袋体
２  生米類
３  袋口
４  フック穴
５  特性データ
６  収納部
１１  箱
２０  注文フォーム
２１  注文用表記
２２  バーコード
２３  携帯端末用ＱＲコード
２４  電話もしくはＦＡＸ番号
２５  インターネットのホームページアドレス
２６  注文用紙用表記部
【図１】
0003136573.tif 000003
【図２】
0003136573.tif 000004
【図３】
0003136573.tif 000005
【図４】
0003136573.tif 000006
【図５】
0003136573.tif 000007
【図６】
0003136573.tif 000008